(57)【要約】【課題】小型で、足載せ台の細かい角度調整が可能であり、且つ足載せ台の傾斜角度が簡単に確認できる実験用足載具を提供する。【解決手段】実験用足載具１０の足載せ台３０は、足載せ台３０から左右方向外側へ延設されたシャフト３４に支持されており、シャフト３４の両端部３４Ａが左右一対の調整プレート４６に支持されている。調整プレート４６の回転中心孔５０に挿通したピン５２を挿入するベースプレート３６の後側固定孔４０の位置を選択することによって、足載せ台の大まかな傾斜角度を所定の角度間隔で調整できる。また、ベースプレート３６の前側固定孔４２へボルト５６で止める調整プレート４６の位置決め孔５４を選択することで、足載せ台３０の細かな傾斜角度を所定の角度間隔で調整できる。【選択図】図２
2015093612.tif 000002
【特許請求の範囲】
【請求項１】
基盤に設けられ、前記基盤に対して後端を回転中心にして上下方向の傾斜角度が変更可能な足載せ台と、
前記足載せ台から左右方向外側へ延設されたシャフトと、
前記基盤に立設された左右一対のベースプレートと、
前部と後部が前記ベースプレートに取付け可能とされ、前後方向中間部に前記シャフトの両端部が支持された左右一対の調整プレートと、
前記ベースプレートに設けられ、前記調整プレートの取付け位置を調整するためのベースプレート側調整手段と、
前記調整プレートに設けられ、前記調整プレートの取付け位置を調整するための調整プレート側調整手段と、
を有する実験用足載具。
【請求項２】
ベースプレート側調整手段は、
前記左右一対のベースプレートに前記足載せ台の回転中心から所定の距離を半径とする円弧に沿って形成された複数の後側固定部と、
前記左右一対のベースプレートに前記足載せ台の回転中心から前記後側固定部より長い距離を半径とする円弧に沿って形成された複数の前側固定部と、
を有し、
調整プレート側調整手段は、
前記左右一対の調整プレートの後部に形成され、前記後側固定部に固定される回転中心部と、
前記左右一対の調整プレートの前部に前記回転中心部から所定の距離を半径とする円弧に沿って形成され、前記前側固定部に固定される複数の位置決め部と、
を有する請求項１に記載の実験用足載具。
【請求項３】
ベースプレート側調整手段は、
前記左右一対のベースプレートに前記足載せ台の回転中心から所定の距離に形成された後側固定部と、
前記左右一対のベースプレートに前記足載せ台の回転中心から前記後側固定部より長い距離を半径とする円弧に沿って形成された複数の前側固定部と、
を有し、
調整プレート側調整手段は、
前記左右一対の調整プレートの後部に形成され、前記後側固定部に取付けられる回転中心部と、
前記左右一対の調整プレートの前部に前記回転中心部から所定の距離を半径とする円弧に沿って形成され、前記前側固定部に固定される複数の位置決め部と、
を有する請求項１に記載の実験用足載具。
【請求項４】
前記足載せ台は、前記シャフトに回転可能に支持されている請求項１〜３の何れか１項に記載の実験用足載具。
【発明の詳細な説明】
【技術分野】
【０００１】
本発明は、自動車等の車両に搭載されるシートの評価実験に用いる実験用足載具に関する。
【背景技術】
【０００２】
特許文献１では、支持枠を任意の角度に調整すると共に、足載せを任意の角度に調整することで、使用者の足の裏の位置に足載せを合わせ、好きな位置に足を載せることができる自動車用足載台が開示されている。また、特許文献２では、ロック解除ペダルの踏み込み状態で、アクチュエータの長さを調整し、足載せ部材の高さを調整する。その後、所望の高さになった時点で、踏み込みを解除し、アクチュエータをその長さにロックされる鉄道車両用足載台が開示されている。
【先行技術文献】
【特許文献】
【０００３】
【特許文献１】実開平０６−０６０５２７号公報
【特許文献２】特開２００５−００１６４６号公報
【発明の概要】
【発明が解決しようとする課題】
【０００４】
しかしながら、自動車等の車両に搭載されるシートの評価実験においては、足載せ台の細かい角度調整が可能であり、且つ足載せ台の傾斜角度が簡単に確認できる足載具が必要となる。さらに、実験スペースの関係から実験用足載具の小型化が要求される。
【０００５】
本発明は、上記事実を考慮して、小型で、足載せ台の細かい角度調整が可能であり、且つ足載せ台の傾斜角度が簡単に確認できる実験用足載具を提供することを課題とする。
【課題を解決するための手段】
【０００６】
請求項１に記載の実験用足載具は、基盤に設けられ、前記基盤に対して後端を回転中心にして上下方向の傾斜角度が変更可能な足載せ台と、前記足載せ台から左右方向外側へ延設されたシャフトと、前記基盤に立設された左右一対のベースプレートと、前部と後部が前記ベースプレートに取付け可能とされ、前後方向中間部に前記シャフトの両端部が支持された左右一対の調整プレートと、前記ベースプレートに設けられ、前記調整プレートの取付け位置を調整するためのベースプレート側調整手段と、前記調整プレートに設けられ、前記調整プレートの取付け位置を調整するための調整プレート側調整手段と、を有する。
【０００７】
請求項１に記載の実験用足載具では、足載せ台が後端を回転中心にして基盤に対して上下方向の傾斜角度が変更可能となっている。また、足載せ台からは左右方向外側へシャフトが延設されており、シャフトの両端部が左右一対の調整プレートの前後方向中間部に支持されている。さらに、調整プレートは前部と後部がベースプレートに取付け可能とされており、ベースプレート側調整手段により、調整プレートのベースプレートへの取付け位置が調整可能となっていると共に、調整プレート側調整手段によっても、調整プレートのベースプレートへの取付け位置が調整可能となっている。このため、ベースプレート側調整手段と調整プレート側調整手段との双方によって、調整プレートのベースプレートへの取付け状態を変えることで、ベースプレートに、足載せ台の角度調整用に多くの取付け孔を形成する従来の構成に比べて、ベースプレートを小型化でき、且つ足載せ台の傾斜角度を細かく変更することができる。また、調整プレートのベースプレートへの取付け状態に基づいて、足載せ台の傾斜角度を簡単に確認できる。
【０００８】
請求項２に記載の実験用足載具は、請求項１に記載の実験用足載具において、ベースプレート側調整手段は、前記左右一対のベースプレートに前記足載せ台の回転中心から所定の距離を半径とする円弧に沿って形成された複数の後側固定部と、前記左右一対のベースプレートに前記足載せ台の回転中心から前記後側固定部より長い距離を半径とする円弧に沿って形成された複数の前側固定部と、を有し、調整プレート側調整手段は、前記左右一対の調整プレートの後部に形成され、前記後側固定部に固定される回転中心部と、前記左右一対の調整プレートの前部に前記回転中心部から所定の距離を半径とする円弧に沿って形成され、前記前側固定部に固定される複数の位置決め部と、を有する。
【０００９】
請求項２に記載の実験用足載具では、調整プレートの後部に形成された回転中心部を、足載せ台の回転中心から所定の距離を半径とする円弧に沿ってベースプレートに形成された複数の後側固定部の何れかに固定することで、ベースプレートへの調整プレートの後部の上下方向の取付け位置を変え、足載せ台の大まかな傾斜角度を調整できる。また、回転中心部から所定の距離を半径とする円弧に沿って調整プレートの前部に形成された複数の位置決め部の何れかを、足載せ台の回転中心から後側固定部より長い距離を半径とする円弧に沿ってベースプレートに形成された複数の前側固定部に取付けることで、足載せ台の細かな傾斜角度を調整できる。この結果、ベースプレートに足載せ台の角度調整用に多くの取付け孔を形成する従来の構成に比べて、ベースプレートを小型化でき、且つ調整プレートの取付け状態によって、足載せ台の傾斜角度を細かく変更することができる。また、ベースプレートへ取付けられる調整プレートの回転中心部と位置決め部とに基づいて、足載せ台の傾斜角度を簡単に確認できる。
【００１０】
請求項３に記載の実験用足載具は、請求項１に記載の実験用足載具において、ベースプレート側調整手段は、前記左右一対のベースプレートに前記足載せ台の回転中心から所定の距離に形成された後側固定部と、前記左右一対のベースプレートに前記足載せ台の回転中心から前記後側固定部より長い距離を半径とする円弧に沿って形成された複数の前側固定部と、を有し、調整プレート側調整手段は、前記左右一対の調整プレートの後部に形成され、前記後側固定部に取付けられる回転中心部と、前記左右一対の調整プレートの前部に前記回転中心部から所定の距離を半径とする円弧に沿って形成され、前記前側固定部に固定される複数の位置決め部と、を有する。
【００１１】
請求項３に記載の実験用足載具では、足載せ台の回転中心から所定の距離に形成された調整プレートの回転中心部を、足載せ台の回転中心から所定の距離に形成されたベースプレートの後側固定部に取付ける。また、ベースプレートには足載せ台の回転中心から後側固定部より長い距離を半径とする円弧に沿って複数の前側固定部が形成されており、調整プレートの前部には回転中心部から所定の距離を半径とする円弧に沿って複数の位置決め部が形成されている。このため、調整プレートの位置決め部を固定するベースプレートの前側固定部を選択することで、足載せ台の大まかな傾斜角度を調整できる。また、ベースプレートの前側固定部に固定する調整プレートの位置決め部を選択することで、足載せ台の細かな傾斜角度を調整できる。この結果、ベースプレートに足載せ台の角度調整用に多くの取付け孔を形成する従来の構成に比べて、ベースプレートを小型化でき、且つ調整プレートの取付け状態によって、足載せ台の傾斜角度を細かく変更することができる。また、選択されたベースプレートの前側固定部と調整プレートの位置決め部とに基づいて、足載せ台の傾斜角度を簡単に確認できる。
【００１２】
請求項４に記載の実験用足載具は、請求項１〜３の何れか１項に記載の実験用足載具において、前記足載せ台は、前記シャフトに回転可能に支持されている。
【００１３】
請求項４に記載の実験用足載具では、足載せ台の傾斜角度が変化する際に、シャフトが足載せ台に対して回転する。このため、足載せ台の傾斜角度を容易に調整できる。
【発明の効果】
【００１４】
請求項１に記載の本発明の実験用足載具によれば、小型で、足載せ台の細かい角度調整が可能であり、且つ足載せ台の傾斜角度が簡単に確認できる。
【００１５】
請求項２に記載の本発明の実験用足載具によれば、小型で、足載せ台の細かい角度調整が可能であり、且つ足載せ台の傾斜角度が簡単に確認できる。
【００１６】
請求項３に記載の本発明の実験用足載具によれば、小型で、足載せ台の細かい角度調整が可能であり、且つ足載せ台の傾斜角度が簡単に確認できる。
【００１７】
請求項４に記載の本発明の実験用足載具によれば、足載せ台の傾斜角度を容易に調整できる。
【図面の簡単な説明】
【００１８】
【図１】本発明の第１実施形態の実験用足載具を示す斜め後方から見た斜視図である。
【図２】本発明の第１実施形態の実験用足載具を示す側面図である。
【図３】本発明の第１実施形態の実験用足載具の調整プレートを示す側面図である。
【図４】図２の４−４断面線に沿った拡大断面図である。
【図５】本発明の第２実施形態の実験用足載具を示す側面図である。
【図６】本発明の第３実施形態の実験用足載具を示す側面図である。
【発明を実施するための形態】
【００１９】
（第１実施形態）
次に、本発明の第１実施形態の実験用足載具について図１〜図４に従って説明する。
なお、各図面に適宜示される矢印ＦＲは実験用足載具の前方を示し、矢印ＵＰは実験用足載具の上方を示している。
【００２０】
図１に示すように、本実施形態の実験用足載具１０は矩形板状の取付け部１２を備えている。この取付け部１２の前端縁部１２Ａには左右方向に所定の間隔を開けて取付け孔１４が複数形成されており、後端縁部１２Ｂにも左右方向に所定の間隔を開けて取付け孔１４が複数形成されている。そして、これらの取付け孔１４を用いて取付け部１２が所定の治具にボルト等の固定部材によって固定できるようになっている。なお、取付け部１２には軽量化するための切欠１６が複数形成されている。
【００２１】
取付け部１２の四隅にはそれぞれ柱１８が上方へ向かって立設されており、各柱１８には上下方向に所定の間隔を開けて取付け孔２０が複数形成されたプレート２２が取付けられている。また、左右一対の柱１８に取付けられたプレート２２は、それぞれの取付け孔２０が互いに対向するようになっている。なお、プレート２２は取付け孔２０の間隔が異なる他のプレートと交換可能となっている。
【００２２】
実験用足載具１０は矩形板状の基盤２６を備えており、この基盤２６は取付け部１２の上方に取付け部１２と平行に上下方向位置を調整可能に取付けられている。より具体的に説明すると、基盤２６の左右の縁部には下方へ向かってフランジ２６Ａが形成されており、これらのフランジ２６Ａの前後両端に形成された図示しない取付け孔によって、各プレート２２の取付け孔２０へボルト等の固定部材２８によって選択的に取付け可能となっている。
【００２３】
実験用足載具１０は左右方向を長尺とする矩形板状の足載せ台３０を備えており、この足載せ台３０は基盤２６の前部上方に設けられている。また、足載せ台３０は、基盤２６に対して後端を回転中心にして上下方向の傾斜角度が変更可能となっている。より具体的に説明すると、足載せ台３０の後端縁部３０Ａにおける左右方向の両端部と中央部には、それぞれ凸部３０Ｂが足載せ台３０の面方向に沿って後方へ突出形成されており、各凸部３０Ｂと基盤２６の上面２６Ｂとが、それぞれヒンジ３２によって連結されている。従って、ヒンジ３２の回転軸を回転中心Ｏ（図２参照）として、足載せ台３０が上方（図２の矢印Ａ方向）と下方（図２の矢印Ｂ方向）とへ回転可能となっている。
【００２４】
実験用足載具１０は左右方向を長手方向とするシャフト３４を備えており、このシャフト３４の両端部３４Ａは、足載せ台３０から左右方向外側へ延設されている。
【００２５】
実験用足載具１０は左右一対のベースプレート３６を備えている。これらのベースプレート３６は円形の１／４となる扇型となっており、円弧部分３６Ａを前方上側に向けて、下端縁部３６Ｂが、基盤２６のフランジ２６Ａの外側面に溶接等によって固定されている。
【００２６】
図２に示すように、各ベースプレート３６には、足載せ台３０の回転中心Ｏから所定の距離Ｌ１（例えば、１９０ｍｍ）を半径とする円弧に沿って、ベースプレート側調整手段としての複数の後側固定部の一例である複数の後側固定孔４０が所定のピッチＰ１（例えば５°ピッチ）で形成されている。また、各ベースプレート３６には、足載せ台３０の回転中心Ｏから距離Ｌ２（例えば、３００ｍｍ）を半径とする円弧に沿って、ベースプレート側調整手段としての複数の前側固定部の一例である前側固定孔４２が所定のピッチＰ１（例えば５°ピッチ）で形成されている。また、各前側固定孔４２は各後側固定孔４０と同一半径上に形成されており、回転中心Ｏから所定の距離Ｌ２は回転中心Ｏから所定の距離Ｌ１より長くなっている（Ｌ１＜Ｌ２）。
【００２７】
各ベースプレート３６には、足載せ台３０の回転中心Ｏから所定の距離Ｌ３（例えば、２２０ｍｍ）を半径とする円弧に沿って、スリット４４が形成されている。なお、回転中心Ｏから距離Ｌ３は距離Ｌ１より長く、距離Ｌ２より短くなっている（Ｌ１＜Ｌ２＜Ｌ３）。
【００２８】
実験用足載具１０は左右一対の調整プレート４６を備えており、これら調整プレート４６はベースプレート３６より小型で、円形の略１／１２となる扇型となっている。また、調整プレート４６は扇型の広幅側となる前部４６Ａと、扇型の狭幅側となる後部４６Ｂとがベースプレート３６に取付け可能となっており、前後方向中間部４６Ｃにはシャフト３４の両端部３４Ａが支持されている。
【００２９】
図３に示すように、調整プレート４６の後部４６Ｂには、調整プレート側調整手段としての回転中心部の一例である回転中心孔５０が形成されており、図４に示すように、回転中心孔５０とベースプレート３６の後側固定孔４０とに、固定部材としてのピン５２が、左右方向外側から挿入されるようになっている。また、図３に示すように、調整プレート４６の前部４６Ａには、回転中心孔５０の中心（回転中心Ｐ）から所定の距離Ｌ４（例えば、１１０ｍｍ）を半径とする円弧に沿って調整プレート側調整手段としての位置決め部の一例である位置決め孔５４が所定のピッチＰ２（例えば７．２°ピッチ）で複数（例えば、５個）形成されている。また、図４に示すように、位置決め孔５４とベースプレート３６の前側固定孔４２とに、固定部材としてのボルト５６が左右方向外側から挿入され、固定部材としてのナット５８が左右方向内側からボルト５６に締結されている。
【００３０】
図３に示すように、調整プレート４６の前後方向中間部４６Ｃには、調整プレート４６の半径方向を長尺方向とする長孔６０が形成されている。図４に示すように、ベースプレート３６のスリット４４と調整プレート４６の長孔６０とには、シャフト３４の両端部３４Ａが挿通されており、シャフト３４の両端部３４Ａに形成された雄螺子部に、固定部材としてのボルト６４が調整プレート４６の左右方向外側から締結されている。従って、シャフト３４の両端部３４Ａは左右の調整プレート４６に固定されており、回転中心孔５０の中心（回転中心Ｐ）からシャフト３４の軸心Ｑまでの距離がＬ５（例えば、３０ｍｍ）となっている。また、図４に示すように、シャフト３４の軸方向中間部３４Ｂはブラケット６６に回転可能に軸支されており、図１に示すように、ブラケット６６は、足載せ台３０の裏面３０Ｃに溶接等によって固定されている。従って、足載せ台３０はシャフト３４に回転可能に支持されている。
【００３１】
従って、シャフト３４の基盤２６からの高さを変化させることで、シャフト３４にブラケット６６を介して支持された足載せ台３０がヒンジ３２の回転軸を回転中心Ｏとして上下方向へ回転し、足載せ台３０の傾斜角度θ１を調整できるようになっている。そして、調整プレート４６を固定するベースプレート３６の後側固定孔４０を上下方向に変えることで、足載せ台の大まかな傾斜角度を所定の角度間隔（例えば、５°間隔）で調整できるようになっている。また、ベースプレート３６の後側固定孔４０の半径方向外側となる前側固定孔４２へボルト５６で止めるための調整プレート４６の位置決め孔５４を選択することで、足載せ台３０の細かな傾斜角度を所定の角度間隔（例えば、略１°間隔）を調整できるようになっている。
【００３２】
（作用効果）
次に、本実施形態の実験用足載具１０の作用効果について説明する。
実験用足載具１０の足載せ台３０は、ヒンジ３２の回転軸を回転中心Ｏにして基盤２６に対して上下方向の傾斜角度θ１が変更可能となっている。また、足載せ台３０は足載せ台３０から左右方向外側へ延設されたシャフト３４に支持されており、シャフト３４の両端部３４Ａが左右一対の調整プレート４６の前後方向中間部４６Ｃに支持されている。さらに、調整プレート４６の回転中心孔５０に挿通したピン５２を挿入するベースプレート３６の後側固定孔４０の位置を選択することによって、足載せ台の大まかな傾斜角度を所定の角度間隔（例えば、５°間隔）で調整できる。その後、ベースプレート３６の前側固定孔４２へボルト５６で調整プレート４６の前部４６Ａを止める、この際、調整プレート４６の位置決め孔５４を選択することで、足載せ台３０の細かな傾斜角度を所定の角度間隔（例えば、略１°間隔）を調整できる。
【００３３】
この結果、本実施形態の実験用足載具１０では、足載せ台３０の傾斜角度θ１を細かく変更することができる。また、左右一対の調整プレート４６の回転中心Ｐの取付け位置として選択されたベースプレート３６の後側固定孔４０の位置と、選択された位置決め孔５４とによって、足載せ台３０の傾斜角度θ１を簡単に確認できる。具体的には、下から何番目の後側固定孔４０と、下から何番目の位置決め孔５４とを選択したかを確認することで、足載せ台３０の傾斜角度θ１を知ることができる。
【００３４】
従って、足載せ台の傾斜角度を細かく調整するために、ベースプレートに足載せ台の角度調整用に多くの取付け孔を形成する従来の構成に比べて、本実施形態では、ベースプレート３６の半径が小さくなり、実験用足載具１０を小型化できると共に、足載せ台３０の傾斜角度θ１を簡単に確認できる。
【００３５】
また、本実施形態の実験用足載具１０では、足載せ台３０の傾斜角度θ１が変化する際に、シャフト３４が、ブラケット６６により足載せ台３０に対して回転する。このため、足載せ台３０の傾斜角度を容易に調整できる。
【００３６】
（第２実施形態）
次に、本発明の第２実施形態の実験用足載具について図５に従って説明する。
なお、第１実施形態と同一部材に付いては、同一符号を付してその説明を省略する。
図５に示すように、本実施形態では、ベースプレート側調整手段としての後側固定部の一例である後側固定孔７０が一か所となっており、ベースプレート３６の後端下部に形成されている。一方、調整プレート４６は後方へ延設されており、回転中心孔５０がベースプレート３６の後側固定孔７０に、ピン５２によって固定されている。従って、ピン５２を回転中心にして調整プレート４６が上下方向へ回転するようになっている。
【００３７】
（作用効果）
次に、本実施形態の実験用足載具１０の作用効果について説明する。
本実施形態では、ピン５２を回転中心Ｐとして調整プレート４６を回転させて、調整プレート４６を固定するベースプレート３６の前側固定孔４２を選択することで、足載せ台３０の大まかな傾斜角度を調整できる。さらに、ベースプレート３６の前側固定孔４２へ固定する調整プレート４６の位置決め孔５４を選択することで、足載せ台３０の細かな傾斜角度を調整できる。
【００３８】
この結果、本実施形態においても、ベースプレート３６の半径が小さくなり、実験用足載具１０を小型化できると共に、足載せ台３０の細かい角度調整が可能である。さらに、選択されたベースプレート３６の前側固定孔４２と、選択された調整プレート４６の位置決め孔５４とから足載せ台３０の傾斜角度θ１が簡単に確認できる。
【００３９】
（実施形態の補足説明）
以上に於いては、本発明を特定の実施形態について詳細に説明したが、本発明は上記実施形態に限定されるものではなく、本発明の範囲内にて他の種々の実施形態が可能であることは当業者にとって明らかである。
【００４０】
例えば、上記第１実施形態では、ベースプレート３６の後側固定部を後側固定孔４０、前側固定部を前側固定孔４２及び調整プレート４６の位置決め部を位置決め孔５４としたが、後側固定部、前側固定部及び位置決め部は他の構成としてもよい。例えば、図６に示す第３実施形態のように、ピン又はボルトが係合可能な複数の凹部７２が形成された後側固定スリット７４を後側固定部、前側固定スリット７６を前側固定部、位置決めスリット７８を位置決め部としてもよい。また、図６に示す第３実施形態では、ピン５２又はボルト５６をベースプレート３６と調整プレート４６に取付けた状態で取付け位置の調整が可能となるため、作業性がさらに向上する。
【００４１】
また、ベースプレート側調整手段と調整プレート側調整手段は、上記各実施形態に限定されない。
【符号の説明】
【００４２】
１０    実験用足載具
２６    基盤
３０    足載せ台
３２    ヒンジ
３４    シャフト
３６    ベースプレート
４０    後側固定孔（後側固定部、ベースプレート側調整手段）
４２    前側固定孔（前側固定部、ベースプレート側調整手段）
４６    調整プレート
５０    回転中心孔（回転中心部、調整プレート側調整手段）
５２    ピン（固定部材）
５４    位置決め孔（位置決め部、調整プレート側調整手段）
５６    ボルト（固定部材）
６６    ブラケット
７０    後側固定孔（後側固定部、ベースプレート側調整手段）
７４    後側固定スリット（後側固定部、ベースプレート側調整手段）
７６    前側固定スリット（前側固定部、ベースプレート側調整手段）
７８    位置決めスリット（位置決め部、調整プレート側調整手段）
【図１】
2015093612.tif 000003
【図２】
2015093612.tif 000004
【図３】
2015093612.tif 000005
【図４】
2015093612.tif 000006
【図５】
2015093612.tif 000007
【図６】
2015093612.tif 000008